(57)【要約】【課題】本発明は、操作者に対して更に明確なクリック感を与えることのできる表面実装型のスイッチデバイスを提供すること。【解決手段】スイッチデバイス１００は、導電体からなるドーム接点２００と、導電体からなる支持体３００と、導電体からなるスペーサ４００とを備えている。ドーム接点２００は、裾部２１０と、頂部２２０とを有している。支持体３００は、ドーム接点２００を支持している。スペーサ４００は、上下方向において、ドーム接点２００の下方に位置している。スペーサ４００は、周縁部４１０と、空隙部４３０と、接続部４４０とを有している。接続部４４０は、基板に接続されるものである。ドーム接点２００の頂部２２０が押下された場合、頂部２２０は空隙部４３０に受容され、且つ、裾部２１０は少なくとも周縁部４１０に接触する。【選択図】図１
2018106905.tif 000002
【特許請求の範囲】
【請求項１】
基板に接続されるスイッチの要素を構成するスイッチデバイスであって、
前記スイッチデバイスは、ドーム接点と、支持体と、スペーサとを備えており、
前記ドーム接点と、前記支持体と、前記スペーサとは、夫々導電体からなるものであり、
前記ドーム接点は、上下方向において上方に膨らんだドーム形状を有しており、
前記ドーム接点は、裾部と、頂部とを有しており、
前記支持体は、前記ドーム接点を支持しており、
前記スペーサは、前記上下方向と直交する水平面内に延びる板状の形状を有しており、
前記スペーサは、前記上下方向において、前記ドーム接点の下方に位置しており、
前記スペーサは、前記支持体に固定されており、
前記スペーサは、周縁部と、空隙部と、接続部とを有しており、
前記周縁部は、前記上下方向に沿って見た場合、前記ドーム接点の前記裾部と部分的に重なっており、
前記空隙部は、前記水平面内において前記周縁部に囲まれており、
前記ドーム接点の前記頂部は、前記上下方向に沿って見た場合、前記空隙部内に位置しており、
前記接続部は、前記基板に接続されるものであり、
前記ドーム接点の前記頂部が押下された場合、前記頂部は前記空隙部に受容され、且つ、前記裾部は少なくとも前記周縁部に接触する
スイッチデバイス。
【請求項２】
請求項１記載のスイッチデバイスであって、
前記支持体は、前記水平面内に延びる板状の形状を有している
スイッチデバイス。
【請求項３】
請求項１又は請求項２記載のスイッチデバイスであって、
前記スイッチデバイスは、前記上下方向と直交する延伸方向に直線状に延びる連結部を更に有しており、
前記連結部は、前記支持体と前記スペーサとを連結する
スイッチデバイス。
【請求項４】
請求項３記載のスイッチデバイスであって、
前記ドーム接点を前記連結部に対して前記上下方向及び前記延伸方向の双方と直交する直交方向に投影した場合、前記ドーム接点の投影領域の前記延伸方向における両端は前記連結部内に位置している
スイッチデバイス。
【請求項５】
請求項３又は請求項４記載のスイッチデバイスであって、
前記スペーサには、折返し部と、押さえ部とが更に設けられており、
前記周縁部は、前記上下方向及び前記延伸方向の双方と直交する直交方向において両端を有しており、
前記連結部は、前記周縁部の前記両端のうちの一端に設けられており、
前記折返し部は、前記周縁部の前記両端のうちの他端から前記上下方向において上方に延びており、
前記折返し部は、前記押さえ部と前記直交方向において接続されており、
前記押さえ部は、前記水平面内に延びており、
前記支持体の一部は、前記上下方向において前記押さえ部と前記周縁部との間に挟まれている
スイッチデバイス。
【請求項６】
請求項１から請求項５までのいずれかに記載のスイッチデバイスであって、
前記接続部は、前記水平面内において、前記周縁部から外側に突出している
スイッチデバイス。
【請求項７】
請求項１から請求項６までのいずれかに記載のスイッチデバイスであって、
前記スペーサの前記周縁部と前記ドーム接点の前記裾部とは、前記裾部の全周に亘って接触している
スイッチデバイス。
【請求項８】
請求項１から請求項７までのいずれかに記載のスイッチデバイスであって、
前記支持体は、枠部と、連結梁部とを有しており、
前記枠部は、前記スペーサに固定されており、
前記ドーム接点は、前記枠部内に配置されており、
前記連結梁部は、前記ドーム接点と前記枠部とを連結する
スイッチデバイス。
【請求項９】
請求項８記載のスイッチデバイスであって、
前記枠部には、第１位置決め孔が設けられており、
前記スペーサには、第２位置決め孔が設けられており、
前記第１位置決め孔と前記第２位置決め孔とは、前記上下方向に沿って見た場合、互いに重なっている
スイッチデバイス。
【請求項１０】
請求項１から請求項８までのいずれかに記載のスイッチデバイスと、押し子体とを備えるスイッチであって、
前記押し子体は、絶縁体からなり、支持部と、押し子とを備えており、
前記押し子は、前記上下方向に移動可能となるように前記支持部に支持されており、
前記押し子は、前記上下方向において下方に移動する際に、前記頂部を押圧して前記ドーム接点を反転させる
スイッチ。
【請求項１１】
請求項９記載のスイッチデバイスと、押し子体とを備えるスイッチであって、
前記押し子体は、絶縁体からなり、支持部と、押し子と、位置決めボスとを備えており、
前記押し子は、前記上下方向に移動可能となるように前記支持部に支持されており、
前記押し子は、前記上下方向において下方に移動する際に、前記頂部を押圧して前記ドーム接点を反転させ、
前記位置決めボスは、前記支持部に設けられており、
前記位置決めボスは、前記第１位置決め孔及び前記第２位置決め孔に夫々挿入されている
スイッチ。
【請求項１２】
請求項１０又は請求項１１記載のスイッチであって、
前記スイッチは、基板を更に備えており、
前記基板には、固定用電極と、接点用電極とが形成されており、
前記スペーサの前記接続部と前記固定用電極とは、互いに接続固定されており、
前記ドーム接点の前記頂部と前記接点用電極とは、前記ドーム接点の前記反転により、前記上下方向において前記ドーム接点の前記裾部よりも前記基板に近接した位置で互いに接触して電気的に接続され、
前記スイッチデバイスと、前記押し子体と、前記基板とは、互いに固定されている
スイッチ。
【請求項１３】
請求項１から請求項９までのいずれかに記載のスイッチデバイスと、基板とを備えるスイッチであって、
前記基板には、固定用電極と、接点用電極とが形成されており、
前記スペーサの前記接続部と前記固定用電極とは、互いに接続固定されており、
前記ドーム接点は、前記頂部が前記押下されることにより反転するものであり、
前記ドーム接点の前記頂部と前記接点用電極とは、前記ドーム接点の前記反転により、前記上下方向において前記ドーム接点の前記裾部よりも前記基板に近接した位置で互いに接触して電気的に接続され、
前記スイッチデバイスと前記基板とは、互いに固定されている
スイッチ。
【発明の詳細な説明】
【技術分野】
【０００１】
本発明は、表面実装型のスイッチデバイス及びこれを用いたスイッチに関する。
【背景技術】
【０００２】
図１２に示されるように、特許文献１には、スイッチ９００が開示されている。図１２及び図１３に示されるように、スイッチ９００は、表面実装型のスイッチデバイス９１０と、基板９５０とを有している。スイッチデバイス９１０は、ドーム接点９１２と、連結部９１６と、枠部９１８とを有している。枠部９１８には接続部９１９が形成されている。基板９５０には、接点用電極９５２と、固定用電極９５４とが形成されている。スイッチデバイス９１０の枠部９１８の接続部９１９は、基板９５０の固定用電極９５４に取り付けられる。スイッチデバイス９１０のドーム接点９１２を上下方向（Ｚ方向）において下方（−Ｚ方向）に押圧すると、ドーム接点９１２が下側（−Ｚ側）に反転してクリック感が発生するとともにドーム接点９１２の頂部９１４が基板９５０の接点用電極９５２に接触し、これにより接点用電極９５２と固定用電極９５４とが電気的に接続される。
【先行技術文献】
【特許文献】
【０００３】
【特許文献１】特開２００４−２４１１６４号公報
【発明の概要】
【発明が解決しようとする課題】
【０００４】
本発明は、操作者に対して更に明確なクリック感を与えることのできる表面実装型のスイッチデバイス及びこれを用いたスイッチを提供することを目的とする。
【課題を解決するための手段】
【０００５】
本発明は、第１のスイッチデバイスとして、
基板に接続されるスイッチの要素を構成するスイッチデバイスであって、
前記スイッチデバイスは、ドーム接点と、支持体と、スペーサとを備えており、
前記ドーム接点と、前記支持体と、前記スペーサとは、夫々導電体からなるものであり、
前記ドーム接点は、上下方向において上方に膨らんだドーム形状を有しており、
前記ドーム接点は、裾部と、頂部とを有しており、
前記支持体は、前記ドーム接点を支持しており、
前記スペーサは、前記上下方向と直交する水平面内に延びる板状の形状を有しており、
前記スペーサは、前記上下方向において、前記ドーム接点の下方に位置しており、
前記スペーサは、前記支持体に固定されており、
前記スペーサは、周縁部と、空隙部と、接続部とを有しており、
前記周縁部は、前記上下方向に沿って見た場合、前記ドーム接点の前記裾部と部分的に重なっており、
前記空隙部は、前記水平面内において前記周縁部に囲まれており、
前記ドーム接点の前記頂部は、前記上下方向に沿って見た場合、前記空隙部内に位置しており、
前記接続部は、前記基板に接続されるものであり、
前記ドーム接点の前記頂部が押下された場合、前記頂部は前記空隙部に受容され、且つ、前記裾部は少なくとも前記周縁部に接触する
スイッチデバイスを提供する。
【０００６】
また、本発明は、第２のスイッチデバイスとして、第１のスイッチデバイスであって、
前記支持体は、前記水平面内に延びる板状の形状を有している
スイッチデバイスを提供する。
【０００７】
また、本発明は、第３のスイッチデバイスとして、第１又は第２のスイッチデバイスであって、
前記スイッチデバイスは、前記上下方向と直交する延伸方向に直線状に延びる連結部を更に有しており、
前記連結部は、前記支持体と前記スペーサとを連結する
スイッチデバイスを提供する。
【０００８】
また、本発明は、第４のスイッチデバイスとして、第３のスイッチデバイスであって
前記ドーム接点を前記連結部に対して前記上下方向及び前記延伸方向の双方と直交する直交方向に投影した場合、前記ドーム接点の投影領域の前記延伸方向における両端は前記連結部内に位置している
スイッチデバイスを提供する。
【０００９】
また、本発明は、第５のスイッチデバイスとして、第３又は第４のスイッチデバイスであって、
前記スペーサには、折返し部と、押さえ部とが更に設けられており、
前記周縁部は、前記上下方向及び前記延伸方向の双方と直交する直交方向において両端を有しており、
前記連結部は、前記周縁部の前記両端のうちの一端に設けられており、
前記折返し部は、前記周縁部の前記両端のうちの他端から前記上下方向において上方に延びており、
前記折返し部は、前記押さえ部と前記直交方向において接続されており、
前記押さえ部は、前記水平面内に延びており、
前記支持体の一部は、前記上下方向において前記押さえ部と前記周縁部との間に挟まれている
スイッチデバイスを提供する。
【００１０】
また、本発明は、第６のスイッチデバイスとして、第１から第５までのいずれかのスイッチデバイスであって、
前記接続部は、前記水平面内において、前記周縁部から外側に突出している
スイッチデバイスを提供する。
【００１１】
また、本発明は、第７のスイッチデバイスとして、第１から第６までのいずれかのスイッチデバイスであって、
前記スペーサの前記周縁部と前記ドーム接点の前記裾部とは、前記裾部の全周に亘って接触している
スイッチデバイスを提供する。
【００１２】
また、本発明は、第８のスイッチデバイスとして、第１から第７までのいずれかのスイッチデバイスであって、
前記支持体は、枠部と、連結梁部とを有しており、
前記枠部は、前記スペーサに固定されており、
前記ドーム接点は、前記枠部内に配置されており、
前記連結梁部は、前記ドーム接点と前記枠部とを連結する
スイッチデバイスを提供する。
【００１３】
また、本発明は、第９のスイッチデバイスとして、第８のスイッチデバイスであって、
前記枠部には、第１位置決め孔が設けられており、
前記スペーサには、第２位置決め孔が設けられており、
前記第１位置決め孔と前記第２位置決め孔とは、前記上下方向に沿って見た場合、互いに重なっている
スイッチデバイスを提供する。
【００１４】
また、本発明は、第１のスイッチとして、第１から第８までのいずれかのスイッチデバイスと、押し子体とを備えるスイッチであって、
前記押し子体は、絶縁体からなり、支持部と、押し子とを備えており、
前記押し子は、前記上下方向に移動可能となるように前記支持部に支持されており、
前記押し子は、前記上下方向において下方に移動する際に、前記頂部を押圧して前記ドーム接点を反転させる
スイッチを提供する。
【００１５】
また、本発明は、第２のスイッチとして、第９のスイッチデバイスと、押し子体とを備えるスイッチであって、
前記押し子体は、絶縁体からなり、支持部と、押し子と、位置決めボスとを備えており、
前記押し子は、前記上下方向に移動可能となるように前記支持部に支持されており、
前記押し子は、前記上下方向において下方に移動する際に、前記頂部を押圧して前記ドーム接点を反転させ、
前記位置決めボスは、前記支持部に設けられており、
前記位置決めボスは、前記第１位置決め孔及び前記第２位置決め孔に夫々挿入されている
スイッチを提供する。
【００１６】
また、本発明は、第３のスイッチとして、第１又は第２のスイッチであって、
前記スイッチは、基板を更に備えており、
前記基板には、固定用電極と、接点用電極とが形成されており、
前記スペーサの前記接続部と前記固定用電極とは、互いに接続固定されており、
前記ドーム接点の前記頂部と前記接点用電極とは、前記ドーム接点の前記反転により、前記上下方向において前記ドーム接点の前記裾部よりも前記基板に近接した位置で互いに接触して電気的に接続され、
前記スイッチデバイスと、前記押し子体と、前記基板とは、互いに固定されている
スイッチを提供する。
【００１７】
また、本発明は、第４のスイッチとして、第１から第９までのいずれかのスイッチデバイスと、基板とを備えるスイッチであって、
前記基板には、固定用電極と、接点用電極とが形成されており、
前記スペーサの前記接続部と前記固定用電極とは、互いに接続固定されており、
前記ドーム接点は、前記頂部が前記押下されることにより反転するものであり、
前記ドーム接点の前記頂部と前記接点用電極とは、前記ドーム接点の前記反転により、前記上下方向において前記ドーム接点の前記裾部よりも前記基板に近接した位置で互いに接触して電気的に接続され、
前記スイッチデバイスと前記基板とは、互いに固定されている
スイッチを提供する。
【発明の効果】
【００１８】
本発明のスイッチデバイスは、ドーム接点の下方に位置するスペーサを備えている。即ち、本発明のスイッチデバイスは、特許文献１のスイッチデバイスと比較して、ドーム接点がより上方に位置するように配置されている。これにより、ドーム接点の頂部を押下した際の上下方向における頂部の変位量を増加させることができるため、操作者に対して更に明確なクリック感を与えることができる。
【００１９】
加えて、本発明のスイッチデバイスにおいては、支持体とスペーサとを導電体で構成すると共に基板に接続される接続部をスペーサに設けたことから、基板とスイッチデバイスとの接続を適切に行うことができる。
【図面の簡単な説明】
【００２０】
【図１】本発明の第１の実施の形態によるスイッチデバイスを含むスイッチを示す分解斜視図である。図において、頂部と裾部との境界を点線で示している。
【図２】図１のスイッチにおいて基板を除いた部分を示す斜視図である。
【図３】図２のスイッチを上下反転して示す斜視図である。図において、頂部と裾部との境界を点線で示している。
【図４】図２のスイッチにおいてスペーサを除いた部分を示す斜視図である。
【図５】図４のスイッチを上下反転して示す斜視図である。図において、頂部と裾部との境界を点線で示している。
【図６】図１のスイッチに含まれる押し子体を示す斜視図である。
【図７】図６の押し子体を上下反転して示す斜視図である。
【図８】本発明の第２の実施形態によるスイッチデバイスを示す斜視図である。ここで、スイッチデバイスのスペーサの押さえ部の近傍（破線で囲んだ部分）を拡大して描画している。
【図９】図８のスイッチデバイスを上下反転して示す斜視図である。
【図１０】図８のスイッチデバイス用のブランクを示す上面図である。図において、第１折り曲げ線及び第２折り曲げ線を点線で示している。
【図１１】図１０のブランクを示す正面図である。
【図１２】特許文献１のスイッチを示す断面図である。
【図１３】図１２のスイッチに含まれるスイッチデバイスを示す上面図である。
【発明を実施するための形態】
【００２１】
（第１の実施の形態）
図１から図７までに示されるように、本発明の第１の実施の形態によるスイッチ１０は、基板６００と、押し子体５００と、シールドシート８００と、スイッチデバイス１００とを備えている。
【００２２】
図１から図５までから理解されるように、本実施の形態のスイッチ１０において、スイッチデバイス１００と、押し子体５００と、基板６００とは、互いに固定されている。より詳しくは、押し子体５００と、シールドシート８００と、スイッチデバイス１００と、基板６００とは、この順に上下方向において上から下に並べられて固定されている。特に、スイッチデバイス１００と基板６００とは、直接的に固定されている。本実施の形態において、上下方向はＺ方向である。上方は＋Ｚ方向であり、下方は−Ｚ方向である。
【００２３】
図１に示されるように、本実施の形態の基板６００には、固定用電極６１０と、接点用電極６２０とが形成されている。本実施の形態の固定用電極６１０は、相互に離間して２つ形成されている。また本実施の形態の接点用電極６２０は、上下方向から見た場合、円形形状を有しており、上下方向におけるサイズは２０μｍ程度である。
【００２４】
図６及び図７に示されるように、本実施の形態の押し子体５００は、絶縁体からなり、支持部５１０と、押し子５２０と、４つの位置決めボス５３０とを備えている。
【００２５】
図６及び図７に示されるように、本実施の形態の支持部５１０は、枠体５１２と、２つの腕部５１６とを有している。枠体５１２は、上下方向と直交する水平面内において、概略ロの字状の断面を有しており、腕部５１６と押し子５２０とを包囲している。本実施の形態において、水平面はＸＹ平面である。枠体５１２は、上下方向と直交する直交方向において２つの対向する内面５１３，５１４を有している。本実施の形態において、直交方向はＹ方向である。内面５１３は、直交方向において内面５１４の＋Ｙ側に位置している。即ち、内面５１４は、直交方向において内面５１３の−Ｙ側に位置している。腕部５１６は、上下方向から見た場合、略Ｃ字状の形状を有している。
【００２６】
図７に示されるように、本実施の形態の押し子５２０は、その下面から下方に延びる押圧部５２２を有している。押し子５２０は、上下方向に移動可能となるように支持部５１０に支持されている。より詳しくは、支持部５１０の腕部５１６の一つは枠体５１２の内面５１３から延びて押し子５２０の−Ｙ側部分に連結されており、支持部５１０の腕部５１６の残りの一つは枠体５１２の内面５１４から延びて押し子５２０の＋Ｙ側部分に連結されている。
【００２７】
図６及び図７に示されるように、位置決めボス５３０の夫々は、支持部５１０に設けられている。より詳しくは、本実施の形態の位置決めボス５３０は、支持部５１０の枠体５１２の下面の四隅近傍から、夫々下方に延びている。
【００２８】
図１から理解されるように、本実施の形態のシールドシート８００は、樹脂製であり、水平面内に延びる正方形形状を有している。シールドシート８００の四隅近傍には、孔８１０が夫々設けられている。孔８１０は、シールドシート８００を上下方向に貫通する孔であり、水平面内において円形形状を有している。
【００２９】
図１から図７までから理解されるように、本実施の形態によるスイッチデバイス１００は、基板６００に接続されるスイッチ１０の要素を構成するものである。具体的には、本実施の形態のスイッチデバイス１００は、ドーム接点２００と、支持体３００と、スペーサ４００とを備えている。ドーム接点２００と、支持体３００と、スペーサ４００とは、夫々導電体からなるものである。
【００３０】
図１、図３、図５及び図１１から理解されるように、ドーム接点２００は、上下方向において上方に膨らんだドーム形状を有している。より詳しくは、ドーム接点２００は、裾部２１０と、頂部２２０とを有している。
【００３１】
図１、図３及び図５から理解されるように、本実施の形態の裾部２１０は、上下方向から見た場合、円環形状を有している。また本実施の形態の頂部２２０は、上下方向から見た場合、円形形状を有している。頂部２２０と裾部２１０とは、境界である裾部２１０の内周において曲面が径方向に滑らかでない変化をするように接続されている。頂部２２０は、円形形状の中心軸上に位置する上端２２２及び下端２２４を有している。頂部２２０の下端２２４は、上下方向において裾部２１０から離れて上方に位置している。頂部２２０の中心軸と裾部２１０の円環形状の中心軸とは一致しており、これらの中心軸は水平面と直交している。
【００３２】
図１、図３及び図５に示されるように、支持体３００は、水平面内に延びる板状の形状を有している。より詳しくは、本実施の形態の支持体３００は、枠部３１０と、２つの連結梁部３２０とを有している。枠部３１０は、上下方向から見た場合、略ロの字状の形状を有しており、スペーサ４００に固定されている。枠部３１０は、直交方向において対向する２つの内面３１３，３１４を有している。内面３１３は、直交方向において内面３１４の＋Ｙ側に位置している。即ち、内面３１４は、直交方向において内面３１３の−Ｙ側に位置している。連結梁部３２０は、直交方向に延びる長板形状を有している。
【００３３】
図１、図３及び図５に示されるように、ドーム接点２００は、支持体３００の枠部３１０内に配置されている。即ち、支持体３００の枠部３１０は、上下方向に沿って見た場合に、ドーム接点２００を全周に亘って包囲している。
【００３４】
図１、図３及び図５に示されるように、支持体３００は、ドーム接点２００を支持している。即ち、支持体３００の連結梁部３２０は、ドーム接点２００と支持体３００の枠部３１０とを連結している。より具体的には、連結梁部３２０の一つは枠部３１０の内面３１３から延びてドーム接点２００の裾部２１０の＋Ｙ側部分に連結されており、連結梁部３２０の残りの一つは枠部３１０の内面３１４から延びてドーム接点２００の裾部２１０の−Ｙ側部分に連結されている。換言すれば、ドーム接点２００は、支持体３００の枠部３１０と連結梁部３２０のみで連結されている。
【００３５】
図１、図３及び図５に示されるように、支持体３００の枠部３１０の四隅近傍には、第１位置決め孔３３０が夫々設けられている。本実施の形態の第１位置決め孔３３０は、上下方向において枠部３１０を貫通する孔であり、上下方向に沿って見た場合、円形形状を有している。
【００３６】
図１、図３及び図５に示されるように、スペーサ４００は、水平面内に延びる板状の形状を有しており、上下方向における厚さは０．１ｍｍ程度である。即ち、上下方向において、スペーサ４００の厚さは、基板６００の接点用電極６２０の厚さよりも厚くなっている。スペーサ４００は、上下方向において、ドーム接点２００の下方に位置している。より具体的には、本実施の形態のスペーサ４００は、上下方向においてドーム接点２００の裾部２１０の下方に位置している。
【００３７】
図１、図３及び図５に示されるように、スペーサ４００は、周縁部４１０と、空隙部４３０と、４つの接続部４４０とを有している。スペーサ４００は、支持体３００に固定されている。より詳しくは、スペーサ４００の周縁部４１０は、支持体３００の枠部３１０に固定されている。
【００３８】
図１、図３及び図５に示されるように、周縁部４１０は、水平面内に延びる平板形状を有している。より具体的には、上下方向に沿って見た場合、本実施の形態の周縁部４１０の外側の形状は、正方形である。図１及び図３から理解されるように、周縁部４１０は、上下方向に沿って見た場合、ドーム接点２００の裾部２１０と部分的に重なっている。より具体的には、スペーサ４００の周縁部４１０とドーム接点２００の裾部２１０とは、裾部２１０の全周に亘って接触している。即ち、裾部２１０の中心軸と直交する方向において、裾部２１０の全外周は、スペーサ４００の周縁部４１０と接触している。
【００３９】
図１、図３及び図５に示されるように、空隙部４３０は、上下方向にスペーサ４００を貫通する円形状の孔である。空隙部４３０は、水平面内において周縁部４１０に囲まれている。即ち、空隙部４３０の周縁は閉じている。図１及び図３から理解されるように、ドーム接点２００の頂部２２０は、上下方向に沿って見た場合、空隙部４３０内に位置している。より具体的には、空隙部４３０の円形孔の中心軸とドーム接点２００の頂部２２０の中心軸とは一致しており、水平面内において、空隙部４３０の円形孔の直径はドーム接点２００の裾部２１０の内周の直径よりも大きい。
【００４０】
図１、図３及び図５に示されるように、接続部４４０は、水平面内に延びる長板形状を有しており、水平面内において周縁部４１０から外側に突出している。より具体的には、本実施の形態の接続部４４０は、周縁部４１０の四辺から外側に夫々突出している。接続部４４０は、基板６００に接続されるものである。より具体的には、４つの接続部４４０のうち対向する二辺から突出する２つの接続部４４０と基板６００の２つの固定用電極６１０とが、半田により互いに接続固定されている。このように２つの接続部４４０によって接続されることで、スペーサ４００は基板６００に良好に固定される。
【００４１】
上述のように、本実施の形態の接続部４４０は、ドーム接点２００の裾部２１０の下方に位置するスペーサ４００に設けられている。これはスペーサ４００が導電体で構成されることで可能となっている。仮に導電体のスペーサ４００に替えて絶縁体からなるスペーサを用いるとすると、上方に位置する支持体３００から延長しそのスペーサの厚さ分だけ下方に降りて基板６００の固定用電極６１０に接続する、段差を有した接続部を形成しなければならない。このような接続部は折り曲げ構造により形状が複雑となってしまい、安定して固定用電極６１０の面に当てることが難しい。これに対し導電体からなるスペーサ４００であれば、同一平面に接続部４４０を設けることができ、安定して固定用電極６１０の面に当てることができる。またそれに加え、特許文献１のスイッチデバイスと比較して、接続部４４０を基板６００の固定用電極６１０に半田で接続する際にフラックスがドーム接点２００に流れ込む可能性が低減されている。特に本実施の形態の接続部４４０は、上述のようにスペーサ４００の周縁部４１０から外側に突出していることから、接続部４４０を基板６００の固定用電極６１０に半田で接続する際にフラックスがドーム接点２００やスペーサ４００の空隙部４３０に流れ込む可能性がより低減されている。
【００４２】
図１及び図３に示されるように、スペーサ４００の周縁部４１０の四隅近傍には、第２位置決め孔４７０が設けられている。本実施の形態の第２位置決め孔４７０は、上下方向において周縁部４１０を貫通する孔であり、上下方向に沿って見た場合、円形形状を有している。
【００４３】
図１及び図３に示されるように、第１位置決め孔３３０と第２位置決め孔４７０とは、上下方向に沿って見た場合、互いに重なっている。また、図１、図３及び図５から理解されるように、押し子体５００の位置決めボス５３０は、シールドシート８００の孔８１０を介して、第１位置決め孔３３０及び第２位置決め孔４７０に夫々挿入されている。これにより、水平面内において、押し子体５００と、ドーム接点２００と、スペーサ４００とを、互いに適切な相対位置に固定することができる。
【００４４】
本実施の形態のスイッチデバイス１００の動作について、以下に詳述する。
【００４５】
図１から図７までから理解されるように、本実施の形態のスイッチデバイス１００において、ドーム接点２００の頂部２２０が押下された場合、ドーム接点２００は反転する。即ち、ドーム接点２００の頂部２２０が押下された場合、頂部２２０は空隙部４３０に受容され、且つ、裾部２１０は少なくとも周縁部４１０に接触する。より詳しくは、ドーム接点２００の頂部２２０の上端２２２が押下された場合、ドーム接点２００が弾性変形して、頂部２２０の下端２２４は上下方向において空隙部４３０の上端よりも下方に移動する。
【００４６】
ドーム接点２００が反転する際においては、前述のように、スペーサ４００の周縁部４１０とドーム接点２００の裾部２１０とは、裾部２１０の全周に亘って接触している。これにより、ドーム接点２００の頂部２２０が押下された場合、ドーム接点２００の裾部２１０の全周がスペーサ４００の周縁部４１０によって支えられながら、ドーム接点２００の頂部２２０が下方に移動することとなる。よって、ドーム接点２００の頂部２２０に加えられた押下力は、裾部２１０の全周を介して均等にスペーサ４００の周縁部４１０に分散されるため、ドーム接点２００の意図しない変形が避けられると共にドーム接点２００を押す方向によってクリック感に差が出てしまうといった事態を避けることができる。
【００４７】
本実施の形態のスイッチ１０の動作について、以下に詳述する。
【００４８】
図１から図７までから理解されるように、押し子体５００の押し子５２０は、上下方向において下方に移動する際に、ドーム接点２００の頂部２２０を押圧してドーム接点２００を反転させる。ここで、ドーム接点２００の反転時の動作は、上述のスイッチデバイス１００の場合と同様である。
【００４９】
本実施の形態のスイッチ１０のドーム接点２００が反転した場合、ドーム接点２００の頂部２２０は、基板６００の接点用電極６２０と接触して電気的に接続される。より詳しくは、前述のようにスペーサ４００の厚さが基板６００の接点用電極６２０の厚さよりも厚くなっていることから、ドーム接点２００が反転することにより、ドーム接点２００の頂部２２０と基板６００の接点用電極６２０とは、上下方向においてドーム接点２００の裾部２１０よりも基板６００に近接した位置で互いに接触して電気的に接続されることとなる。これにより、ドーム接点２００の頂部２２０を押下した際の上下方向における頂部２２０の変位量が増加するため、操作者に対して更に明確なクリック感が与えられる。
【００５０】
このようにドーム接点２００の頂部２２０と基板６００の接点用電極６２０とが互いに電気的に接続された場合、前述のようにスペーサ４００の接続部４４０は基板６００の固定用電極６１０に接続固定されていることから、基板６００上の固定用電極６１０と接点用電極６２０との間においてドーム接点２００、支持体３００及びスペーサ４００を介して導通が確保されることとなる。
【００５１】
（第２の実施の形態）
図１及び図８から図１１までを参照すると、本発明の第２の実施の形態によるスイッチ（図示せず）は、スイッチデバイス１００Ａを除き、上述した第１の実施の形態によるスイッチ１０（図１参照）と同様な構成を備えている。そのため、以下の説明においては、第１の実施の形態と同様の構成要素に対しては同一の参照符号を用いる。
【００５２】
図１及び図８及び図９から理解されるように、本実施の形態のスイッチデバイス１００Ａは、基板６００に接続されるスイッチ（図示せず）の要素を構成するものである。具体的には、本実施の形態のスイッチデバイス１００Ａは、ドーム接点２００Ａと、支持体３００Ａと、スペーサ４００Ａと、連結部４８０とを備えている。ドーム接点２００Ａと、支持体３００Ａと、スペーサ４００Ａとは、夫々導電体からなるものである。
【００５３】
図８から図１１までを参照すると、スイッチデバイス１００Ａは、均一な厚みを有する一枚の金属板を打ち抜いてプレス加工を施すことによりブランク１００Ｂを形成した後、ブランク１００Ｂを曲げ加工して形成されたものである。ブランク１００Ｂ及びその曲げ加工ついては後述する。
【００５４】
図８及び図１１に示されるように、ドーム接点２００Ａは、上下方向において上方に膨らんだドーム形状を有している。本実施の形態において、上下方向はＺ方向である。上方は＋Ｚ方向であり、下方は−Ｚ方向である。より詳しくは、ドーム接点２００Ａは、裾部２１０Ａと、頂部２２０Ａとを有している。
【００５５】
図８及び図９から理解されるように、本実施の形態の裾部２１０Ａは、上下方向から見た場合、円環形状を有している。本実施の形態の頂部２２０Ａは、上下方向から見た場合、円形形状を有している。頂部２２０Ａと裾部２１０Ａとは、境界である裾部２１０Ａの内周において曲面が径方向に滑らかでない変化をするように接続されている。頂部２２０Ａは、円形形状の中心軸上に位置する上端２２２Ａ及び下端２２４Ａを有している。頂部２２０Ａの下端２２４Ａは、上下方向において裾部２１０Ａから離れて上方に位置している。頂部２２０Ａの中心軸と裾部２１０Ａの円環形状の中心軸とは一致しており、これらの中心軸は水平面と直交している。
【００５６】
図８に示されるように、支持体３００Ａは、上下方向と直交する水平面内に延びる板状の形状を有している。本実施の形態において、水平面はＸＹ平面である。より詳しくは、本実施の形態の支持体３００Ａは、枠部３１０Ａと、２つの連結梁部３２０Ａとを有している。枠部３１０Ａは、上下方向から見た場合、略ロの字状の形状を有しており、スペーサ４００Ａに固定されている。枠部３１０Ａは、上下方向と直交する直交方向において対向する２つの内面３１３Ａ，３１４Ａを有している。内面３１３Ａは、直交方向において内面３１４Ａの＋Ｙ側に位置している。即ち、内面３１４Ａは、直交方向において内面３１３Ａの−Ｙ側に位置している。連結梁部３２０Ａは、直交方向に延びる長板形状を有している。支持体３００Ａの枠部３１０Ａの＋Ｙ側端は自由端となっている。本実施の形態において、直交方向はＹ方向である。
【００５７】
図８及び図９に示されるように、ドーム接点２００Ａは、支持体３００Ａの枠部３１０Ａ内に配置されている。即ち、支持体３００Ａの枠部３１０Ａは、上下方向に沿って見た場合に、ドーム接点２００Ａを全周に亘って包囲している。
【００５８】
図８及び図９に示されるように、支持体３００Ａは、ドーム接点２００Ａを支持している。即ち、支持体３００Ａの連結梁部３２０Ａは、ドーム接点２００Ａと支持体３００Ａの枠部３１０Ａとを連結している。より具体的には、連結梁部３２０Ａの一つは枠部３１０Ａの内面３１３Ａから延びてドーム接点２００Ａの裾部２１０Ａの＋Ｙ側部分に連結されており、連結梁部３２０Ａの残りの一つは枠部３１０Ａの内面３１４Ａから延びてドーム接点２００Ａの裾部２１０Ａの−Ｙ側部分に連結されている。換言すれば、ドーム接点２００Ａは、支持体３００Ａの枠部３１０Ａと連結梁部３２０Ａのみで連結されている。
【００５９】
図８及び図９に示されるように、支持体３００Ａの枠部３１０Ａの四隅近傍には、第１位置決め孔３３０Ａが夫々設けられている。本実施の形態の第１位置決め孔３３０Ａは、上下方向において枠部３１０Ａを貫通する孔であり、上下方向に沿って見た場合、円形形状を有している。
【００６０】
図９に示されるように、スペーサ４００Ａは、水平面内に延びる板状の形状を有しており、上下方向における厚さは０．１ｍｍ程度である。即ち、上下方向において、スペーサ４００Ａの厚さは、基板６００の接点用電極６２０の厚さよりも厚くなっている。スペーサ４００Ａは、上下方向において、ドーム接点２００Ａの下方に位置している。より具体的には、より具体的には、本実施の形態のスペーサ４００Ａは、上下方向においてドーム接点２００Ａの裾部２１０Ａの下方に位置している。
【００６１】
図８に示されるように、スペーサ４００Ａは、周縁部４１０Ａと、空隙部４３０Ａと、２つの接続部４４０Ａとを有している。スペーサ４００Ａは、支持体３００Ａに固定されている。より詳しくは、スペーサ４００Ａの周縁部４１０Ａは、支持体３００Ａの枠部３１０Ａに固定されている。
【００６２】
図８に示されるように、周縁部４１０Ａは、水平面内に延びる平板形状を有している。より具体的には、上下方向に沿って見た場合、本実施の形態の周縁部４１０Ａの外側の形状は、直交方向に長い長方形である。周縁部４１０Ａは、直交方向において両端４２０を有している。周縁部４１０Ａの両端４２０は、−Ｙ側に位置する一端４２２と、＋Ｙ側に位置する他端４２４とで構成される。図８及び図９から理解されるように、周縁部４１０は、上下方向に沿って見た場合、ドーム接点２００Ａの裾部２１０Ａと部分的に重なっている。より具体的には、スペーサ４００Ａの周縁部４１０Ａとドーム接点２００Ａの裾部２１０Ａとは、裾部２１０Ａの全周に亘って接触している。即ち、裾部２１０Ａの中心軸と直交する方向において、裾部２１０Ａの全外周は、スペーサ４００の周縁部４１０Ａと接触している。
【００６３】
図８及び図９に示されるように、空隙部４３０Ａは、上下方向にスペーサ４００Ａを貫通する円形状の孔である。空隙部４３０Ａは、水平面内において周縁部４１０Ａに囲まれている。即ち、空隙部４３０Ａの周縁は閉じている。図８及び図９から理解されるように、ドーム接点２００Ａの頂部２２０Ａは、上下方向に沿って見た場合、空隙部４３０Ａ内に位置している。より具体的には、空隙部４３０Ａの円形孔の中心軸とドーム接点２００Ａの頂部２２０Ａの中心軸とは一致しており、水平面内において、空隙部４３０Ａの円形孔の直径はドーム接点２００Ａの裾部２１０Ａの内周の直径よりも大きい。
【００６４】
図８及び図９に示されるように、接続部４４０Ａは、水平面内に延びる長板形状を有しており、水平面内において周縁部４１０Ａから外側に突出している。より具体的には、本実施の形態の接続部４４０Ａは、周縁部４１０Ａの長辺から外側に夫々突出している。接続部４４０Ａは、基板６００に接続されるものである。より具体的には、２つの接続部４４０Ａと基板６００の２つの固定用電極６１０とが、半田により互いに接続固定されている。このように２つの接続部４４０Ａによって接続されることで、スペーサ４００Ａは基板６００に良好に固定される。
【００６５】
上述のように、本実施の形態の接続部４４０Ａは、ドーム接点２００Ａの裾部２１０Ａの下方に位置するスペーサ４００Ａに設けられている。これはスペーサ４００Ａが導電体で構成されることで可能となっている。仮に導電体のスペーサ４００Ａに替えて絶縁体からなるスペーサを用いるとすると、上方に位置する支持体３００Ａから延長しそのスペーサの厚さ分だけ下方に降りて基板６００の固定用電極６１０に接続する、段差を有した接続部を形成しなければならない。このような接続部は折り曲げ構造により形状が複雑となってしまい、安定して固定用電極６１０の面に当てることが難しい。これに対し導電体からなるスペーサ４００Ａであれば、同一平面内に接続部４４０Ａを設けることができ、安定して固定用電極６１０の面に当てることができる。またそれに加え、特許文献１のスイッチデバイスと比較して、接続部４４０Ａを基板６００の固定用電極６１０に半田で接続する際にフラックスがドーム接点２００Ａに流れ込む可能性が低減されている。特に本実施の形態の接続部４４０Ａは、上述のようにスペーサ４００Ａの外側に突出していることから、接続部４４０Ａを基板６００の固定用電極６１０に半田で接続する際にフラックスがドーム接点２００Ａやスペーサ４００Ａの空隙部４３０Ａに流れ込む可能性がより低減されている。
【００６６】
図８及び図９に示されるように、連結部４８０は、上下方向及び直交方向の双方と直交する延伸方向に直線状に延びている。本実施の形態において、延伸方向はＸ方向である。連結部４８０は、周縁部４１０Ａの両端４２０のうちの一端４２２に設けられており、支持体３００Ａとスペーサ４００Ａとを連結している。具体的には、連結部４８０は、支持体３００Ａの枠部３１０Ａの−Ｙ側端と、スペーサ４００Ａの周縁部４１０Ａの一端４２２とを連結している。より詳しくは、本実施の形態の連結部４８０は、スペーサ４００Ａの一端４２２において、−Ｘ側端部付近から＋Ｘ側端部付近に亘って延伸方向に沿って連続的に延びている。
【００６７】
図８及び図９から理解されるように、ドーム接点２００Ａを連結部４８０に対して直交方向に投影した場合、ドーム接点２００Ａの投影領域２３０の延伸方向における両端２３２は連結部４８０内に位置している。これにより、スイッチデバイス１００Ａにおいてドーム接点２００Ａとスペーサ４００Ｂとの相対位置を安定して維持することができる。
【００６８】
図８に示されるように、スペーサ４００Ａには、折返し部４５０と、押さえ部４６０とが更に設けられている。折返し部４５０は、周縁部４１０Ａの両端４２０のうちの他端４２４から上下方向において上方に延びている。折返し部４５０は、押さえ部４６０と直交方向において接続されている。押さえ部４６０は、水平面内に延びる平板状の形状を有している。支持体３００Ａの一部は、上下方向において押さえ部４６０と周縁部４１０Ａとの間に挟まれている。より具体的には、支持体３００Ａの枠部３１０Ａの自由端を含む部分は、上下方向において押さえ部４６０と周縁部４１０Ａとの間に挟まれている。
【００６９】
図８及び図９に示されるように、スペーサ４００Ａの周縁部４１０Ａの四隅付近には、第２位置決め孔４７０Ａが設けられている。本実施の形態の第２位置決め孔４７０Ａは、上下方向において周縁部４１０Ａを貫通する孔であり、上下方向に沿って見た場合、円形形状を有している。
【００７０】
図８及び図９に示されるように、第１位置決め孔３３０Ａと第２位置決め孔４７０Ａとは、上下方向に沿って見た場合、互いに重なっている。また、図１、図８及び図９から理解されるように、押し子体５００の位置決めボス５３０は、シールドシート８００の孔８１０を介して、第１位置決め孔３３０Ａ及び第２位置決め孔４７０Ａに夫々挿入されている。これにより、水平面内において、押し子体５００と、ドーム接点２００Ａと、スペーサ４００Ａとを、互いに適切な相対位置に固定することができる。
【００７１】
上述のように、スイッチデバイス１００Ａはブランク１００Ｂを曲げ加工して形成される。図１０に示されるように、ブランク１００Ｂは、ドーム接点２００Ａと、支持体３００Ａと、スペーサ４００Ｂと、第１折り曲げ線４８０Ｂと、第２折り曲げ線４５０Ｂと、押さえ部４６０Ｂとを備えている。ドーム接点２００Ａは、＋Ｚ側に膨らんだドーム形状を有している。第１折り曲げ線４８０Ｂは、支持体３００Ａの枠部３１０Ａの−Ｘ側端部から＋Ｘ側端部に亘って連続的に延伸方向に延びている。より具体的には、ドーム接点２００Ａを第１折り曲げ線４８０Ｂに対して直交方向に投影した場合、ドーム接点２００Ａの投影領域２３０Ｂの延伸方向における両端２３２Ｂは第１折り曲げ線４８０Ｂ内に位置している。第２折り曲げ線４５０Ｂは、スペーサ４００Ｂの−Ｘ側端部から＋Ｘ側端部に亘って連続的に延伸方向に延びている。スペーサ４００Ｂは、周縁部４１０Ｂと、空隙部４３０Ｂと、接続部４４０Ｂとを有している。周縁部４１０Ｂには、第２位置決め孔４７０Ｂが設けられている。周縁部４１０Ｂは、直交方向において両端４２０Ｂを有しており、両端４２０Ｂは、＋Ｙ側に位置する一端４２２Ｂと、−Ｙ側に位置する他端４２４Ｂとで構成される。ブランク１００Ｂの曲げ加工について、以下に詳述する。
【００７２】
図８から図１１までから理解されるように、まずブランク１００Ｂを、スペーサ４００Ｂがドーム接点２００Ａの−Ｚ側に位置するように第１折り曲げ線４８０Ｂに沿って折り曲げる。これにより、スペーサ４００Ｂの周縁部４１０Ｂの空隙部４３０Ｂの中心と、ドーム接点２００Ａの頂部２２０Ａの中心とは、上下方向において同軸上に位置することとなる。またこのとき、スペーサ４００Ｂの周縁部４１０Ｂの第２位置決め孔４７０Ｂの中心と、支持体３００Ａの枠部３１０Ａの第１位置決め孔３３０Ａの中心とは、夫々上下方向において同軸上に位置することとなる。
【００７３】
特に上述のように、ドーム接点２００Ａを第１折り曲げ線４８０Ｂに対して直交方向に投影した場合、ドーム接点２００Ａの投影領域２３０Ｂの延伸方向における両端２３２Ｂは第１折り曲げ線４８０Ｂ内に位置していることから、スペーサ４００Ｂを第１折り曲げ線４８０Ｂで折り曲げる際に、相対的に位置ずれすることなくドーム接点２００Ａとスペーサ４００Ｂとを重ねることができ、また折り曲げ後においてもドーム接点２００Ａとスペーサ４００Ｂとの相対位置を安定して維持することができる。
【００７４】
その後、押さえ部４６０Ｂを、押さえ部４６０Ｂが支持体３００Ａの＋Ｚ側に位置するように第２折り曲げ線４５０Ｂに沿って折り返す。これにより、支持体３００Ａの枠部３１０Ａの自由端を含む部分が、上下方向において押さえ部４６０Ｂと周縁部４１０Ａとの間に挟まれることとなる。
【００７５】
図８から図１１までから理解されるように、ブランク１００Ｂを曲げ加工することにより、ブランク１００Ｂのスペーサ４００Ｂと、押さえ部４６０Ｂは、スペーサ４００Ａと、押さえ部４６０Ａとなる。また、スペーサ４００Ｂの周縁部４１０Ｂと、空隙部４３０Ｂと、接続部４４０Ｂとは、周縁部４１０Ａと、空隙部４３０Ａと、接続部４４０Ａとなる。加えて、周縁部４１０Ｂの第２位置決め孔４７０Ｂは、第２位置決め孔４７０Ａとなる。更に、ブランク１００Ｂの第１折り曲げ線４８０Ｂ付近の部位から連結部４８０が形成され、第２折り曲げ線４５０Ｂ付近の部位から折返し部４５０が形成される。
【００７６】
本実施の形態のスイッチデバイス１００Ａの動作について、以下に詳述する。
【００７７】
図１、図８及び図９から理解されるように、本実施の形態のスイッチデバイス１００Ａにおいて、ドーム接点２００Ａの頂部２２０Ａが押下された場合、ドーム接点２００Ａは反転する。即ち、ドーム接点２００Ａの頂部２２０Ａが押下された場合、頂部２２０Ａは空隙部４３０Ａに受容され、且つ、裾部２１０Ａは少なくとも周縁部４１０Ａに接触する。より詳しくは、ドーム接点２００Ａの頂部２２０Ａの上端２２２Ａが押下された場合、ドーム接点２００Ａが弾性変形して、頂部２２０Ａの下端２２４Ａは上下方向において空隙部４３０Ａの上端よりも下方に移動する。
【００７８】
ドーム接点２００Ａが反転する際においては、前述のように、スペーサ４００Ａの周縁部４１０Ａとドーム接点２００Ａの裾部２１０Ａとは、裾部２１０Ａの全周に亘って接触している。これにより、ドーム接点２００Ａの頂部２２０Ａが押下された場合、ドーム接点２００Ａの裾部２１０Ａの全周がスペーサ４００Ａの周縁部４１０Ａによって支えられながら、ドーム接点２００Ａの頂部２２０Ａが下方に移動することとなる。よって、ドーム接点２００Ａの頂部２２０Ａに加えられた押下力は、裾部２１０Ａの全周を介して均等にスペーサ４００Ａの周縁部４１０Ａに分散されるため、ドーム接点２００Ａの意図しない変形が避けられると共にドーム接点２００Ａを押す方向によってクリック感に差が出てしまうといった事態を避けることができる。
【００７９】
本実施の形態のスイッチの動作について、以下に詳述する。
【００８０】
図１、図８及び図９から理解されるように、押し子体５００の押し子５２０は、上下方向において下方に移動する際に、ドーム接点２００Ａの頂部２２０Ａを押圧してドーム接点２００Ａを反転させる。ここで、ドーム接点２００Ａの反転時の動作は、上述のスイッチデバイス１００Ａの場合と同様である。
【００８１】
本実施の形態のスイッチのドーム接点２００Ａが反転した場合、ドーム接点２００Ａの頂部２２０Ａは、基板６００の接点用電極６２０と接触して電気的に接続される。より詳しくは、前述のようにスペーサ４００Ａの厚さが基板６００の接点用電極６２０の厚さよりも厚くなっているため、ドーム接点２００Ａが反転することにより、ドーム接点２００Ａの頂部２２０Ａと基板６００の接点用電極６２０とは、上下方向においてドーム接点２００Ａの裾部２１０Ａよりも基板６００に近接した位置で互いに接触して電気的に接続されることとなる。これにより、ドーム接点２００Ａの頂部２２０Ａを押下した際の上下方向における頂部２２０Ａの変位量が増加するため、操作者に対して更に明確なクリック感が与えられる。
【００８２】
このようにドーム接点２００Ａの頂部２２０Ａと基板６００の接点用電極６２０とが互いに電気的に接続された場合、前述のようにスペーサ４００Ａの接続部４４０Ａは基板６００の固定用電極６１０に接続固定されていることから、基板６００上の固定用電極６１０と接点用電極６２０との間においてドーム接点２００Ａ、支持体３００Ａ及びスペーサ４００Ａを介して導通が確保されることとなる。
【００８３】
以上、本発明について、複数の実施の形態を掲げて具体的に説明してきたが、本発明はこれに限定されるわけではなく、種々の変形が可能である。
【００８４】
上述した実施の形態のスイッチは、スイッチデバイス１００，１００Ａと、押し子体５００と、基板６００と、シールドシート８００とを備えていたが、本発明はこれに限定されず、スイッチデバイス１００，１００Ａと押し子体５００のみで構成されていてもよく、また、スイッチデバイス１００，１００Ａと基板６００のみで構成されていてもよい。また、スイッチデバイス１００，１００Ａと基板６００とは直接的に固定されていたが、本発明はこれに限定されず、耐熱性両面粘着テープを間に介在させてもよい。
【００８５】
上述した実施の形態の枠部３１０，３１０Ａは、上下方向に沿って見た場合に、ドーム接点２００，２００Ａを全周に亘って包囲していたが、本発明はこれに限定されない。例えば、枠部が上面視でＨ字状となるような形状を有していてもよい。
【００８６】
上述した実施の形態の第１位置決め孔３３０，３３０Ａ及び第２位置決め孔４７０，４７０Ａは、水平面内において円形形状を有していたが、本発明はこれに限定されない。例えば、第１位置決め孔及び第２位置決め孔は、互いに直交する長円形状を有していてもよい。
【００８７】
上述した実施の形態の空隙部４３０，４３０Ａの周縁は閉じていたが、本発明はこれに限定されない。即ち、空隙部の周縁は閉じていなくてもよい。
【００８８】
上述の実施の形態の連結部４８０は、スペーサ４００Ａの一端４２２において、−Ｘ側端部付近から＋Ｘ側端部付近に亘って延伸方向に沿って連続的に延びていたが、本発明はこれに限定されない。ドーム接点を連結部に対して直交方向に投影した場合、ドーム接点の投影領域の延伸方向における両端が連結部内に位置している限りにおいて、連結部は、上述のように連続的に延びていなくてもよい。例えば、連結部が、延伸方向において相互に分離した２つの部分から構成されていてもよい。
【符号の説明】
【００８９】
１０                    スイッチ
１００，１００Ａ        スイッチデバイス
１００Ｂ                ブランク
２００，２００Ａ        ドーム接点
２１０，２１０Ａ        裾部
２２０，２２０Ａ        頂部
２２２，２２２Ａ        上端
２２４，２２４Ａ        下端
２３０，２３０Ｂ        投影領域
２３２，２３２Ｂ        両端
３００，３００Ａ        支持体
３１０，３１０Ａ        枠部
３１３，３１３Ａ        内面
３１４，３１４Ａ        内面
３２０，３２０Ａ        連結梁部
３３０，３３０Ａ        第１位置決め孔
４００，４００Ａ，４００Ｂ      スペーサ
４１０，４１０Ａ，４１０Ｂ        周縁部
４２０，４２０Ｂ        両端
４２２，４２２Ｂ        一端
４２４，４２４Ｂ        他端
４３０，４３０Ａ，４３０Ｂ        空隙部
４４０，４４０Ａ，４４０Ｂ        接続部
４５０                  折返し部
４５０Ｂ                第２折り曲げ線
４６０，４６０Ｂ        押さえ部
４７０，４７０Ａ，４７０Ｂ        第２位置決め孔
４８０                  連結部
４８０Ｂ                第１折り曲げ線
５００                  押し子体
５１０                  支持部
５１２                  枠体
５１３                  内面
５１４                  内面
５１６                  腕部
５２０                  押し子
５２２                  押圧部
５３０                  位置決めボス
６００                  基板
６１０                  固定用電極
６２０                  接点用電極
８００                  シールドシート
８１０                  孔
【図１】
2018106905.tif 000003
【図２】
2018106905.tif 000004
【図３】
2018106905.tif 000005
【図４】
2018106905.tif 000006
【図５】
2018106905.tif 000007
【図６】
2018106905.tif 000008
【図７】
2018106905.tif 000009
【図８】
2018106905.tif 000010
【図９】
2018106905.tif 000011
【図１０】
2018106905.tif 000012
【図１１】
2018106905.tif 000013
【図１２】
2018106905.tif 000014
【図１３】
2018106905.tif 000015